(57)【特許請求の範囲】
【請求項１】
商品サンプルが並べて配置されたサンプル陳列台を有する自動販売機であって、
サンプル陳列台はその上面に、円筒状の商品サンプルが着脱自在に取り付けられる略円形の取付穴を間隔をおいて複数個備え、且つ、少なくとも隣り合う取付穴の間それぞれに塵埃溜まり防止用の抜き穴を備えており、
該抜き穴は２つの円弧状曲線を線対称に有する鼓形状を成し、一方の円弧状曲線の曲率半径の中心は隣接する取付穴の中心と一致し、且つ、他方の円弧状曲線の曲率半径の中心は隣接する取付穴の中心と一致していて、両円弧状曲線の曲率半径は所定径の商品サンプルの半径と一致するように、もしくは、所定径の商品サンプルの半径よりも僅かに小さくなるように設定され、
また、サンプル陳列台の上面下側にはサンプル陳列台を上から見たときに抜き穴のほぼ中央に位置するように蛍光灯が配置されている、
ことを特徴とする自動販売機。
【請求項２】
前記抜き穴は、前側よりも後側が広がった鼓形状を成す、
ことを特徴とする請求項１に記載の自動販売機。
【発明の詳細な説明】
【０００１】
【発明の属する技術分野】
本発明は、商品サンプルが並べて配置されたサンプル陳列台を有する自動販売機に関する。
【０００２】
【従来の技術】
缶飲料等の商品を販売する自動販売機は、図１に示すように、箱形のキャビネット１とこのキャビネット１の前面開口を開閉自在に覆うメインドア２とを備えている。
【０００３】
キャビネット１内には断熱室が設けられ、この断熱室の前面開口は断熱ドアによって開閉自在に覆われている。断熱室内は断熱性仕切板によって複数の単位室に区画され、各単位室内にはサーペンタインコラム等から成る商品コラムが１乃至複数設置されている。各商品コラムには缶飲料等の商品が収納されていて、各商品コラムには、販売指令に基づいて収納商品を１個宛搬出可能な商品搬出機が設けられている。
【０００４】
また、キャビネット１内には、単位室毎の商品冷却または商品加温を可能とした冷却加温装置が設けられ、各商品コラムに収納されている商品は所定温度に冷却または加温された状態、或いは、冷却及び加温を行わない常温状態で販売される。
【０００５】
一方、メインドア２は前面に窓穴２ａを有し、この窓穴２ａは樹脂やガラス等から成る透明パネル３によって塞がれている。また、メインドア２は後面に窓穴２ｂを有し、この窓穴２ｂはサブドア４によって開閉自在に覆われている。
【０００６】
図２と図３（Ａ）及び（Ｂ）にも示すように、サブドア４の前面には横長のサンプル陳列台５が上下方向に間隔をおいて複数個取り付けられ、各サンプル陳列台５の上面には商品サンプル６が左右方向に並べて配置されている。各サンプル陳列台５は商品サンプル６用の複数の取付穴５ａをその上面に有し、商品価格や冷却加温状態を示す表示パネル（図示省略）の差込部５ｂをその前面に有している。商品サンプル６は樹脂等から形成され、その下端部に設けられた差込部（図示省略）を取付穴５ａに挿入し係合することでサンプル陳列台５に着脱自在に取り付けられている。また、透明パネル２の前面には、複数の商品選択ボタン７が商品サンプル６それぞれに対応して設けられている。
【０００７】
また、メインドア２の前面には、メインドア２用のロック８と、コイン投入口９と、返却レバー１０と、紙幣投入口１１と、表示パネル１２と、コイン返却口１３と、商品販売口１４が設けられている。
【０００８】
【発明が解決しようとする課題】
商品サンプル６が配置されたメインドア２内の空間は完全な密閉構造ではなく、時間の経過とともに商品サンプル６の上面及びサンプル陳列台５の上面に塵埃が溜まってしまうことから、これを除去するための清掃が定期或いは不定期に行われている。ちなみに、前記の清掃は、メインドア２のロック８を専用キーを用いて解除してメインドア２を開けた後、サブドア４のロックを解除してサブドア４を開けた状態で実施される。
【０００９】
商品サンプル６の上面やサンプル陳列台５の上面の左右両端部分及び前面部分に溜まった塵埃はブラシや電気掃除機等によって簡単に取り除くことができるが、サンプル陳列台５の上面の商品サンプル間部分に溜まった塵埃ＤＴ（図３（Ｂ）参照）は、商品サンプル６間の隙間が極めて狭いことから前記のブラシや掃除機では取り除くことが難しい。
【００１０】
実際には、前記の塵埃ＤＴを取り除くために商品サンプル６間の隙間に挿入可能な専用小型ブラシを別途用意してこれを用いて清掃が行われているが、清掃作業が極めて煩雑になると共に、商品サンプル６間の隙間が狭いことから思うような清掃を行うことができない。また、前記の塵埃ＤＴを取り除くために商品サンプル６全てを外してから清掃を行うこともなされているが、商品サンプルの脱着に時間と労力を要すると共に、清掃後に商品サンプルをサンプル陳列台に取り付けるときに取付位置の間違いを生じ易い。
【００１１】
本発明は前記事情に鑑みて創作されたもので、その目的とするところは、清掃性を格段向上できるサンプル陳列台を用いた自動販売機を提供することにある。
【００１２】
【課題を解決するための手段】
前記目的を達成するため、本発明は、商品サンプルが並べて配置されたサンプル陳列台を有する自動販売機であって、サンプル陳列台はその上面に、円筒状の商品サンプルが着脱自在に取り付けられる略円形の取付穴を間隔をおいて複数個備え、且つ、少なくとも隣り合う取付穴の間それぞれに塵埃溜まり防止用の抜き穴を備えており、該抜き穴は２つの円弧状曲線を線対称に有する鼓形状を成し、一方の円弧状曲線の曲率半径の中心は隣接する取付穴の中心と一致し、且つ、他方の円弧状曲線の曲率半径の中心は隣接する取付穴の中心と一致していて、両円弧状曲線の曲率半径は所定径の商品サンプルの半径と一致するように、もしくは、所定径の商品サンプルの半径よりも僅かに小さくなるように設定され、また、サンプル陳列台の上面下側にはサンプル陳列台を上から見たときに抜き穴のほぼ中央に位置するように蛍光灯が配置されている、ことをその特徴とする。
【００１４】
前記の自動販売機によれば、サンプル陳列台の上面には、隣り合う取付穴の間それぞれに塵埃溜まり防止用の抜き穴が設けられているので、このサンプル陳列台に商品サンプルを取り付けた状態で時間の経過とともに商品サンプルの上面及びサンプル陳列台の上面に塵埃が溜まってしまうような場合でも、サンプル陳列台の上面における商品サンプル間の最も隙間が狭くなる部分にあっては塵埃は抜き穴から下方に落下することになるから同部分に塵埃が溜まることはない。
【００１５】
本発明の前記目的とそれ以外の目的と、構成特徴と、作用効果は、以下の説明と添付図面によって明らかとなる。
【００１６】
【発明の実施の形態】
図４〜図１３は本発明の一実施形態を示すもので、図４はサブドアを前面側から見た斜視図、図５は図４の分解斜視図、図６は図４に示したサンプル陳列台の一部省略正面図とその上面図、図７は図４に示したサンプル陳列台の部分拡大上面図、図８は図４に示した商品サンプルの上面図と下部側面図、図９はサブドアに対するサンプル陳列台の取付構造を示す図、図１０はサンプル陳列台をサブドアに取り付けた状態とサンプル陳列台を手前側に傾けた状態を示す図、図１１は商品サンプル取付後のサンプル陳列台の部分拡大上面図、図１２は図１１の商品サンプルよりも小径の商品サンプル取付後のサンプル陳列台の部分拡大上面図、図１３は図１１から商品サンプルを外した状態を示す図である。
【００１７】
尚、図４に示したサブドア２１は、図１及び図２に示したサブドア４と同様にメインドア後面の窓穴を開閉自在に覆うものであり、従来技術欄で説明した自動販売機のサブドア４に代えて用いることができる。
【００１８】
サブドア２１の前面には横長のサンプル陳列台２２が上下方向に間隔をおいて複数個取り付けられ、各サンプル陳列台２１の上面には商品サンプル２３が左右方向に並べて配置されている。また、サブドア２１の前面における各サンプル陳列台２２の内側には、サンプル陳列台２２を支持する左右一対の陳列台支持部材２４が固着され、また、左右一対の陳列台支持部材２４の内側それぞれには、蛍光灯ＦＬ（図１３参照）が着脱自在に取り付けられる左右一対の蛍光灯支持部材２５が固着されている。
【００１９】
以下に、サンプル陳列台２２，商品サンプル２３，陳列台支持部材２４及び蛍光灯支持部材２５の構成を詳しく説明する。
【００２０】
サンプル陳列台２２は、図６（Ａ）及び（Ｂ）と図７と図９に示すように、縦断面形状が略Ｌ字形を成しており、平坦な上面とこの上面と９０度の角度を成す前面とを有している。サンプル陳列台２２の上面には、略円形を成す商品サンプル２３用取付穴２２ａが左右方向に等間隔で複数個形成されている。各取付穴２２ａには、商品サンプル２３の差込部２３ａの形状に整合した第１切欠部２２ａ１と第２切欠部２２ａ２がそれぞれ点対称に２個宛設けられている。
【００２１】
また、サンプル陳列台２２の上面の取付穴２２ａの間と左右両端の取付穴２２ａの外側位置には、２つの円弧状曲線２２ｂ１を線対称に有し、且つ、前側よりも後側に長く広がった鼓形状の抜き穴２２ｂがそれぞれ設けられている。図７から分かるように、抜き穴２２ｂにおける図中右側の円弧状曲線２２ｂ１の曲率半径Ｒ２２の中心は隣接する取付穴２２ａの中心と一致し、且つ、図中の左側の円弧状曲線２２ｂ１の曲率半径Ｒ２２の中心は隣接する取付穴２２ａの中心と一致している。また、両円弧状曲線２２ｂ１の曲率半径Ｒ２２は、取付穴２２ａに取り付けられる商品サンプル２３の半径Ｒ２３と一致するように、もしくは、商品サンプル２３の半径Ｒ２３よりも僅かに小さくなるように設定されている。
【００２２】
さらに、サンプル陳列台２２の前面には、商品価格や冷却加温状態を示す表示パネルＤＰ（図６（Ａ）参照）の差込部２２ｃが設けられている。この差込部２２は板材をＵ字形に折り曲げることにより構成されていて、その折り曲げ端には矩形状切欠部２２ｃ１が左右方向に等間隔で取付穴２２ａと同数形成されている。ちなみに、表示パネルＤＰは、一定幅の帯状を成していて、図面のものでは上側にＨＯＴの文字が左右方向に等間隔で複数個記され、下側に逆向きのＣＯＬＤの文字が左右方向に等間隔で複数個記されると共に、ＨＯＴとＣＯＬＤの文字の間に商品価格（１２０の数字）が正逆向きで２個宛記されている。この表示パネルＤＰは差込部２２ｃに差し込んだ状態で、ＨＯＴとＣＯＬＤの何れかを露出させることができると共に商品価格を矩形状切欠部２２ｃ１から露出させることができる。
【００２３】
さらに、サンプル陳列台２２の上面後側には、陳列台支持部材２４の切欠部２４ｂに係合可能な屈曲部２２ｄが形成されている。さらに、サンプル陳列台２２の左右両端には矩形状の端面板２２ｅが設けられていて、両端面板２２ｅの内面には傾動時の軸となる円柱状突起２２ｆが設けられている。
【００２４】
商品サンプル２３は、自動販売機で販売される缶飲料の中の３５０ｍｌ缶に相当するもので、実物とほぼ同じ形状を有している。この商品サンプル２３は、円筒状樹脂成型物の外周面に販売商品と同じ絵柄のラベルを貼り付けるか、或いは、円筒状樹脂成型物の外周面に前記絵柄を転写することによって形成されている。図８中の符号Ｒ２３は商品サンプル２３の半径で、具体的には商品サンプル２３におけるサンプル陳列台２２の上面と接する部分の半径を示すものである。
【００２５】
また、商品サンプル２３の下端部には、サンプル陳列台２２の取付穴２２ａよりも僅かに直径が小さい円柱状の差込部２３ａが設けられている。この差込部２３の外周面には、取付穴２２ａの第１切欠部２２ａ１に挿入可能で、且つ、サンプル陳列台２２の上面部分の裏側に係合して抜けを防止するための抜け止め片２３ａ１が点対称に２個宛設けられている。また、差込部２３の外周面には、取付穴２２ａの第２切欠部２２ａ２に弾性的に係合可能な押さえ部２３ａ２が点対称に２個設けられている。
【００２６】
この商品サンプル２３は、抜け止め片２３ａ１を第１切欠部２２ａ１に位置合わせした状態で差込部２３ａを取付穴２２ａに挿入し、そして、商品サンプル２３を所定角度回転させて押さえ部２３ａ２を第２切欠部２２ａ２に弾性的に係合させることでサンプル陳列台２２に取り付けることができ、また、適宜回転させて抜け止め片２３ａ１を第１切欠部２２ａ１に位置合わせした状態で差込部２３ａを取付穴２２ａから抜き出すことでサンプル陳列台２２から外すことができる。
【００２７】
陳列台支持部材２４は全体が略Ｌ字形を成し、一方の屈曲部分が垂直向きとなるように他方の屈曲部分をネジＳＷ及びナットＮＴを用いてサブドア２１に固着されている。この陳列台支持部材２４の一方の屈曲部分の後側には、サンプル陳列台２２の屈曲部２２ｄが係合可能な切欠部２４ｂが形成されている。また、陳列台支持部材２４の一方の屈曲部分には、サンプル陳列台２２の円柱状突起２２ｆを支える第１支持穴２４ｃ１とこれよりも前側上部に位置する第２支持穴２４ｃ２とを連続して有し、且つ、上端を開放した支持切欠部２４ｃが形成されている。
【００２８】
蛍光灯支持部材２５は全体が略Ｌ字形を成し、一方の屈曲部分が垂直向きとなるように他方の屈曲部分をネジ及びナットを用いてサブドア２１に固着されている。この蛍光灯支持部材２５の一方の屈曲部分の内側には、蛍光灯ＦＬの端子の抜き差しを可能としたソケット（図示省略）が設けられている。
【００２９】
前記のサンプル陳列台２２をサブドア２１に取り付けるときには、まず、陳列台支持部材２４と蛍光灯支持部材２５を図５のようにサブドア２１の前面に固着する。蛍光灯ＦＬはこの段階で蛍光灯支持部材２５に取り付けても良いし、サンプル陳列台２２を取り付けた後に取り付けても良い。
【００３０】
次いで、図９及び図１０（Ａ）に示すように、サンプル陳列台２２の左右両側の円柱状突起２２ｆを、左右一対の陳列台支持部材２４の支持切欠部２４ｃの上から差し込んで第１支持穴２４ｃ１に位置させると共に、サンプル陳列台２２の屈曲部２２ｄを左右一対の陳列台支持部材２４の切欠部２４ｂに係合させる。図１０（Ａ）の状態では、サンプル陳列台２２の上面の裏側は左右一対の陳列台支持部材２４の上端によって支持され、且つ、サンプル陳列台２２の前面の裏側は左右一対の陳列台支持部材２４の前端に当接していて、サンプル支持台２２は多少の振動や衝撃を受けても動かないようになっている。
【００３１】
商品サンプル２３はサンプル陳列台２２をサブドア２１に取り付けた後、或いは、取り付ける前にサンプル支持部材２２に取り付けられる。サンプル陳列台２２に対する商品サンプル２３の取付方法は先に述べた通りである。
【００３２】
図１１に示すように、サンプル陳列台２２に商品サンプル２３を取り付けた状態では、取付穴２２ａの左右にある２つの抜き穴２２ｂの取付穴２２ａ側の円弧状曲線２２ｂ１の曲率半径Ｒ２２が商品サンプル２３の半径Ｒ２３と一致または僅かに小さいため、商品サンプル２３を上から見たときの外周ラインは両抜き穴２２ｂの円弧状曲線２２ｂ１に一致した形態、または、外周ラインが両抜き穴２２ｂに僅かに入り込んだ形態となる。即ち、サンプル陳列台２２に商品サンプル２３を取り付けた状態では、サンプル陳列台２２の上面における商品サンプル２３間の最も隙間が狭くなる部分には塵埃が溜まるような面は存在しないことになる。
【００３３】
従って、時間の経過とともに商品サンプル６の上面及びサンプル陳列台２２の上面に塵埃が溜まってしまうような場合でも、サンプル陳列台２２の上面における商品サンプル２３間の最も隙間が狭くなる部分にあっては塵埃は抜き穴２２ｂから下方に落下することになるから同部分に塵埃が溜まることはない。
【００３４】
つまり、商品サンプル６の上面やサンプル陳列台２２の上面の左右両端部分及び前面部分に溜まった塵埃はブラシや電気掃除機等によって簡単に取り除くことができると共に、サンプル陳列台２２の上面における商品サンプル２３間の最も隙間が狭くなる部分の清掃は不要になることから、従来のように専用小型ブラシを用いたり商品サンプル２３を外して同部分の清掃を行う面倒を解消して清掃性を格段向上させることができる。
【００３５】
図１１には、商品サンプル２３として３５０ｍｌ缶に相当するものを示したが、３５０ｍｌ缶よりも直径が小さな２５０ｍｌ缶に相当する商品サンプル２３’をサンプル陳列台２２に取り付けた場合には図１２に示すような状態となる。図から分かるように、商品サンプル２３’の直径が商品サンプル２３の直径よりも小さいことから、サンプル陳列台２２に商品サンプル２３’を取り付けた状態では、サンプル陳列台２２の上面における商品サンプル２３間の最も隙間が狭くなる部分には塵埃が溜まるような面が若干ではあるが存在してしまう。しかし、この場合には、商品サンプル２３’の直径が小さいことから商品サンプル２３’間の隙間が拡大するため、前記面に塵埃が溜まった場合でもこれをブラシや電気掃除機等によって簡単に取り除くことができるので清掃性には何ら影響は生じ得ない。商品サンプルとして２５０ｍｌ缶以外の商品サンプル、例えば３５０ｍｌ缶よりも直径が小さなペットボトルや瓶飲料等の商品サンプルをサンプル陳列台２２に取り付けた場合も同様である。
【００３６】
また、図１０（Ｂ）に示すように、前記のサンプル陳列台２２は、サンプル陳列台２２を持ち上げて左右両側の円柱状突起２２ｆを左右一対の陳列台支持部材２４の第１支持穴２４ｃ１から第２支持穴２４ｃ２に移動させることで、サンプル陳列台２２を前側に傾動させてその姿勢を維持することができるので、図１０（Ａ）の状態で商品サンプル２３がサブドア２１の前面に近接している場合でも、前記の清掃をより簡単に行うことができるし、商品サンプル２３の交換も簡単に行うことができる。
【００３７】
さらに、図１３に示すように、左右一対の蛍光灯支持部材２５に蛍光灯ＦＬを取り付けた状態では、蛍光灯ＦＬはサンプル陳列台２２を上から見たときに各抜き穴２２ｂのほぼ中央に位置するようになっているので、蛍光灯２２から発せられた光を抜き穴２２ｂを通じて上方に導いて、商品サンプル２３を前側から見たときの側面部分を効果的に照明することができる。依って、商品サンプル２３を前側から見たときにその側面部分が暗くなることを防止して、商品サンプル２３を通じた商品アピールを購買者に対して的確に行うことができる。
【００３８】
このように前述のサンプル陳列台２２によれば、サンプル陳列台２２の上面における商品サンプル２３間部分に塵埃が溜まることを防止して清掃性を格段向上できると共に、蛍光灯ＦＬによる商品サンプル２３の照明を効果的に行って商品サンプル２３を通じた商品アピールを購買者に対して的確に行うことができる。また、このサンプル陳列台２２を図１に示した自動販売機に適用すれば、同様の効果が得られる自動販売機を提供できる。
【００３９】
尚、前述のサンプル陳列台２２では抜き穴２２ｂとして前側よりも後側が広がった鼓形状のものを示したが、図１４に示すように後側の拡がりと長さを前側と同じようにした抜き穴２２ｂ’をその代わりに用いても前記同様の作用効果を得ることができる。
【００４０】
【発明の効果】
以上詳述したように、本発明によれば、サンプル陳列台の上面の商品サンプル間部分に塵埃が溜まることを防止して清掃性を格段向上することができる。
【図面の簡単な説明】
【図１】従来の自動販売機を前側から見た斜視図
【図２】図１に示したサブドアを前面側から見た斜視図
【図３】図１に示したサンプル陳列台の一部省略正面図とその上面図
【図４】本発明の一実施形態を示す、サブドアを前面側から見た斜視図
【図５】図４の分解斜視図
【図６】図４に示したサンプル陳列台の一部省略正面図とその上面図
【図７】図４に示したサンプル陳列台の部分拡大上面図
【図８】図４に示した商品サンプルの上面図と下部側面図
【図９】サブドアに対するサンプル陳列台の取付構造を示す図
【図１０】サンプル陳列台をサブドアに取り付けた状態とサンプル陳列台を手前側に傾けた状態を示す図
【図１１】商品サンプル取付後のサンプル陳列台の部分拡大上面図
【図１２】図１１の商品サンプルよりも小径の商品サンプル取付後のサンプル陳列台の部分拡大上面図
【図１３】図１１から商品サンプルを外した状態を示す図
【図１４】サンプル陳列台の変形例を示す図
【符号の説明】
２１…サブドア、２２…サンプル陳列台、２２ａ…取付穴、２２ｂ…抜き穴、２２ｂ１…円弧状曲線、２３…陳列台支持部材、２４…蛍光灯支持部材、ＦＬ…蛍光灯。
【図１】
0003781108.tif 000002
【図２】
0003781108.tif 000003
【図３】
0003781108.tif 000004
【図４】
0003781108.tif 000005
【図５】
0003781108.tif 000006
【図６】
0003781108.tif 000007
【図７】
0003781108.tif 000008
【図８】
0003781108.tif 000009
【図９】
0003781108.tif 000010
【図１０】
0003781108.tif 000011
【図１１】
0003781108.tif 000012
【図１２】
0003781108.tif 000013
【図１３】
0003781108.tif 000014
【図１４】
0003781108.tif 000015